(57)【要約】【課題】太陽電池及び蓄電器の容量を大きくすることなく十分な光量を得ることのできる照明付表示器を提供する。【解決手段】表示体１をＬＥＤの発光により照明するとともに、蓄光性の表示部１ａの発光によっても照明することができるので、太陽電池３及び二次電池の容量を大きくしなくとも、表示体１を照明するための十分な光量を得ることができるとともに、ＬＥＤの光によっても表示部１ａを蓄光することができるので、表示部１ａの蓄光量を十分確保することができる。また、板状の表示体１の一端側に表示体１と一体をなすように設けられたケース体２を備え、ケース体２の外面に太陽電池３を設けるとともに、ケース体２内に二次電池、ＬＥＤ及び回路基板を設けているので、ケース体２内の機器を外部に露出させることなく表示体１と一体化することができ、美観の向上を図ることができる。【選択図】図１
2007298565.tif 000002
【特許請求の範囲】
【請求項１】
任意の図形、文字等を表示した蓄光性の表示部を有し、表示部を外部の光により蓄光して暗中で発光させる板状の表示体と、
表示体の一端側に表示体と一体をなすように設けられたケース体と、
ケース体の外面に設けられた太陽電池と、
ケース体内に設けられ、太陽電池によって発電された電力を充電する蓄電器と、
ケース体内に設けられ、蓄電器から供給される電力により発光して表示体を照明する発光体とを備えた
ことを特徴とする照明付表示器。
【請求項２】
前記表示体を、少なくとも一方の面に表示部が設けられた表示板と、表示板の少なくとも一方の面を覆う透明板とから形成した
ことを特徴とする請求項１記載の照明付表示器。
【請求項３】
前記表示体とケース体とを全体として一枚の板状をなすように形成し、
ケース体内に配置された発光体の光を透明板の一端面から表示板に向かって照射するように構成した
ことを特徴とする請求項２記載の照明付表示器。
【請求項４】
前記ケース体の一端面に、外部の構造物に固定されたネジに取付けるための取付孔を設け、
取付孔の一部にネジの頭部を挿通可能な挿通部を設けるとともに、他の部分にはネジの頭部よりも幅の狭い係止部を設け、挿通部を挿通したネジの頭部を係止部側に移動することによりネジが係止部に係止するように形成した
ことを特徴とする請求項１、２または３記載の照明付表示器。
【請求項５】
前記取付孔をケース体の幅方向二箇所に設けるとともに、
各取付孔を互いに係止部がケース体の前後方向反対向きになるように形成した
ことを特徴とする請求項４記載の照明付表示器。
【請求項６】
前記ケース体に取付けられた光センサと、
光センサによって検知される周囲の明るさが所定の明るさ以下になると蓄電器の電力を発光体に供給するスイッチとを備えた
ことを特徴とする請求項１、２、３、４または５記載の照明付表示器。
【発明の詳細な説明】
【技術分野】
【０００１】
本発明は、例えば避難誘導標識や各種看板等に用いられる照明付表示器に関するものである。
【背景技術】
【０００２】
従来、照明機能を有する表示装置としては、任意の図形、文字等からなる表示部を有する表示体と、太陽電池によって発電された電力を充電する蓄電器と、蓄電器から供給される電力によって発光するＬＥＤ等の発光体とを備え、発光体の光を表示体に照射することにより、夜間時や暗中において表示体を照明するようにしたものが知られている（例えば、特許文献１参照）。
【特許文献１】特開２００５−２４７０６号公報
【発明の開示】
【発明が解決しようとする課題】
【０００３】
前記表示装置では、日中は外部の光によって蓄電器に充電し、夜間は蓄電器の電力によって発光体を発光させることにより、商用電源の供給や電池交換を必要とすることなく表示体を照明することができる。しかしながら、十分な光量で長時間の照明を行うためには、太陽電池及び蓄電器の容量を大きくしなければならず、装置の大型化、コストの増加を来すという問題点があった。また、太陽電池及び蓄電器の容量を大きくした場合でも、充電時の周囲の照度が低いと、蓄電量が不足して十分な光量が得られないという問題点があった。
【０００４】
本発明は前記問題点に鑑みてなされたものであり、その目的とするところは、太陽電池及び蓄電器の容量を大きくすることなく十分な光量を得ることのできる照明付表示器を提供することにある。
【課題を解決するための手段】
【０００５】
本発明の照明付表示器は、前記目的を達成するために、任意の図形、文字等を表示した蓄光性の表示部を有し、表示部を外部の光により蓄光して暗中で発光させる板状の表示体と、表示体の一端側に表示体と一体をなすように設けられたケース体と、ケース体の外面に設けられた太陽電池と、ケース体内に設けられ、太陽電池によって発電された電力を充電する蓄電器と、ケース体内に設けられ、蓄電器から供給される電力により発光して表示体を照明する発光体とを備えている。
【０００６】
これにより、太陽電池によって発電された電力により発光体が発光するとともに、蓄光された光により表示体の表示部が発光し、表示体の発光と表示部の発光により表示体が照明される。また、ケース体の外面に太陽電池が設けられるとともに、ケース体内に蓄電器及び発光体が設けられることから、ケース体内の機器を外部に露出させることなく表示体と一体化することができる。
【発明の効果】
【０００７】
本発明の照明付表示器によれば、表示体を発光体の発光により照明するとともに、蓄光性の表示部の発光によっても照明することができるので、太陽電池及び蓄電器の容量を大きくしなくとも、表示体を照明するための十分な光量を得ることができ、小型で低コストに構成することができる。また、発光体の光によっても表示部を蓄光することができるので、表示部の蓄光量を十分確保することができ、表示部の発光による照明効果を長時間に亘って持続することができる。更に、ケース体内の機器を外部に露出させることなく表示体と一体化することができるので、美観の向上を図ることができる。
【発明を実施するための最良の形態】
【０００８】
図１乃至図８は本発明の一実施形態を示すもので、図１は照明付表示器の正面側斜視図、図２はその背面側斜視図、図３はその正面断面図、図４はその側面断面図、図５はその構成を示すブロック図、図６は天井面への取付方法を示す正面図、図７はその取付状態を示す正面図、図８は天井面への取付方法を示す平面図である。
【０００９】
この照明付表示器は、任意の図形や文字等を表示する表示体１と、表示体１の上端側に設けられたケース体２と、外部の光によって発電する太陽電池３と、太陽電池３によって発電された電力を充電する蓄電器としての二次電池４と、二次電池４から供給される電力によって発光する発光体としての複数のＬＥＤ５と、周囲の明るさを検知する光センサ６とを備え、表示体１及びケース体２は全体として四角形の板状をなすように形成されている。
【００１０】
表示体１は、前面に任意の図形や文字等（例えば避難誘導用の標識）からなる蓄光性の表示部１ａが形成された表示板１ｂと、表示板１ｂの前面と背面をそれぞれ覆う一対の透明板１ｃ（例えばアクリル板）とからなる。表示部１ａは、外部の光を吸収して暗中で発光する周知の蓄光材からなり、例えば粒状の蓄光材をスクリーン印刷によって表示板１ｂの表面に薄膜状に固着することにより形成されている。また、各透明板１ｃの上端部にはケース体２の下端側に嵌合する嵌合部１ｄが設けられ、嵌合部１ｄはケース体２の板厚分だけ前後方向及び幅方向の寸法が他の部分よりも小さく形成されている。
【００１１】
ケース体２は下面を開口した箱状に形成され、その内部には二次電池４、各ＬＥＤ５及び回路基板７が収納されている。ケース体２の下端開口部には表示体１の嵌合部１ｄが嵌合しており、表示体１はネジ止めによってケース体２に固定されている。ケース体２の上面には外部の構造物等に取付けるための取付孔２ａが設けられ、取付孔２ａはケース体２の幅方向両端側にそれぞれ一つずつ設けられている。各取付孔２ａは、その一部に取付用のネジの頭部を挿通可能な挿通部２ｂが設けられるとともに、他の部分にはネジの頭部よりも幅の狭い係止部２ｂが設けられ、挿通部２ｂを挿通したネジの頭部を係止部２ｂ側に移動することによりネジが係止部２ｂに係止するようになっている。この場合、各取付孔２ａは互いに係止部２ｂがケース体２の前後方向反対向きになるように設けられるとともに、各係止部２ｂがそれぞれケース体２の前後方向中央に配置されるように挿通部２ｂの位置が前後方向にずれている。
【００１２】
太陽電池３はパネル状に形成された周知の構成からなり、ケース体２の前面に取付けられている。
【００１３】
二次電池４は、ニッケルカドニウム電池等の周知の充電池からなり、太陽電池３に逆流防止用のダイオード４ａを介して接続されている。また、二次電池４には充電検出回路４ｂが接続され、充電検出回路４ｂには充電中ランプ４ｃ及び充電完了ランプ４ｄが接続されている。充電中ランプ４ｃ及び充電完了ランプ４ｄはケース体２の幅方向一端面に取付けられ、充電中の場合は充電中ランプ４ｃが赤色に点灯し、充電が完了すると充電完了ランプ４ｄが緑色に点灯するようになっている。
【００１４】
各ＬＥＤ５はケース体２内に互いに表示体１の幅方向に間隔をおいて配置され、透明板１ｃの一端面から表示板１ｂの前面に向かって光を照射するようになっている。各ＬＥＤ５は第１のスイッチ８及び第２のスイッチ９を介して二次電池４に接続され、第１のスイッチ８または第２のスイッチ９によって点灯及び消灯を切換えられるようになっている。第１のスイッチ８はスライドスイッチ等の手動スイッチからなり、ケース体２の幅方向一端面に取付けられている。尚、使用時は第１のスイッチ８を常時オンにする。第２のスイッチ９はスイッチングトランジスタ等の電子スイッチからなり、スイッチ駆動回路９ａによって開閉するようになっている。尚、ＬＥＤ５に代えて蛍光灯や白熱灯等を用いることも可能である。
【００１５】
光センサ６は、光導電型センサ等の周知のセンサからなり、スイッチ駆動回路９ａに接続されている。即ち、スイッチ駆動回路９ａは光センサ６によって検知される明るさが所定の明るさ以下になると第２のスイッチ９をオンにするようになっている。
【００１６】
以上のように構成された照明付表示器は、例えば図６及び図７に示すように建物の天井面１０に取付けて使用される。即ち、天井面１０に取付けた二つのネジ１１にケース体２の各取付孔２ａを係合することにより、天井面１０から吊り下げられた状態で取付けられる。その際、図８(a) に示すように各ネジ１１を結ぶ直線に対してケース体２を斜めにすることにより、各取付孔２ａの挿通部２ｂにそれぞれ各ネジ１１の頭部を挿通した後、図８(b) に示すようにケース体２を幅方向両側が互いに前後反対方向にずれるように回転させて各ネジ１１の頭部を各取付孔２ａの係止部２ｂに移動することにより、各ネジが各係止部２ｂの周縁に係止する。
【００１７】
前記照明付表示器を使用する場合には、日中の屋外からの光や室内灯等の光により太陽電池３で発電され、その電力が二次電池４に充電されるとともに、表示体１の表示部１ａも前記光によって蓄光される。ここで、夜間または室内灯の消灯により、光センサ６によって検知される明るさが所定の明るさ以下になると、第２のスイッチ９がオンになり、各ＬＥＤ５が発光するとともに、表示体１の表示部１ａが蓄光された光により発光する。これにより、表示体１が各ＬＥＤ５の発光と表示部１ａの発光により照明され、商用電源の供給や電池交換を必要とすることなく照明することができる。
【００１８】
このように、本実施形態の照明付表示器によれば、表示体１を各ＬＥＤ５の発光により照明するとともに、蓄光性の表示部１ａの発光によっても照明することができるので、太陽電池３及び二次電池４の容量を大きくしなくとも、表示体１を照明するための十分な光量を得ることができ、小型で低コストに構成することができる。また、各ＬＥＤ５の光によっても表示部１ａを蓄光することができるので、表示部１ａの蓄光量を十分確保することができ、表示部１ａの発光による照明効果を長時間に亘って持続することができる。
【００１９】
更に、本実施形態の照明付表示器は、板状の表示体１の一端側に表示体１と一体をなすように設けられたケース体２を備え、ケース体２の外面に太陽電池３を設けるとともに、ケース体２内に二次電池４、各ＬＥＤ５及び回路基板７を設けているので、ケース体２内の機器を外部に露出させることなく表示体１と一体化することができ、美観の向上を図ることができる。尚、本実施形態ではケース体２を表示体１の一端側に設けたものを示したが、表示体１の下端側または幅方向一端側に設けることも可能である。
【００２０】
また、表示体１を、一方の面に表示部１ａが設けられた表示板１ｂと、表示板１ｂの前面及び背面を覆う一対の透明板１ｃとから形成したので、任意の図形や文字を表示板１ｂに容易に形成することができるとともに、視認性を損なうことなく各透明板１ｃにより表示板１ｂを保護することができる。尚、本実施形態では表示板１ｂの一方の面に表示部１ａを設けたものを示したが、表示板の両面に表示部を設けるようにしてもよい。また、表示板の一方の面のみに表示部を設ける場合には、表示板の一方の面のみを透明板で覆うようにしてもよい。
【００２１】
更に、表示体１とケース体２とを全体として一枚の板状をなすように形成し、ケース体２に配置された各ＬＥＤ５の光を透明板１ｃの一端面から表示板１ｂに向かって照射するようにしたので、看板やパネルと同様に取り扱うことができ、設置や保管を容易に行うことができる。
【００２２】
また、ケース体２の一端面に、外部の構造物に固定されたネジ１１に取付けるための取付孔２ａを設け、取付孔２ａの一部にネジ１１の頭部を挿通可能な挿通部２ｂを設けるとともに、他の部分にはネジ１１の頭部よりも幅の狭い係止部２ｃを設け、挿通部２ｂを挿通したネジ１１の頭部を係止部２ｃ側に移動することにより、ネジ１１を取付孔２ａに係止するようにしたので、工具を用いることなく着脱することができ、設置作業を極めて容易に行うことができる。この場合、専用の取付金具や支持部材等を用いる必要がないので、取付用の部品が露出して見栄えを損なうこともなく、美観を重視する場所への設置に極めて有利である。
【００２３】
更に、取付孔２ａをケース体２の幅方向二箇所に設けるとともに、各取付孔２ａを互いに係止部２ｃがケース体２の前後方向反対向きになるように形成したので、各取付孔２ａの挿通部２ｂにそれぞれ各ネジ１１の頭部を挿通した後、ケース体２を幅方向両側が互いに前後反対方向にずれるように回転させて各ネジ１１の頭部を各取付孔２ａの係止部２ｂに移動することにより、各ネジ１１を各取付孔２ａに係止することができるので、各ネジ１１との着脱を極めて容易に行うことができ、作業性をより向上させることができる。
【００２４】
また、光センサ６によって検知される周囲の明るさが所定の明るさ以下になると、二次電池４の電力を各ＬＥＤ５に供給するようにしたので、周囲が明るいときは各ＬＥＤ５を自動で消灯することができ、消費電力の低減を図ることができる。
【００２５】
尚、前記実施形態では、避難誘導標識として用いられるものを示したが、このような用途に限定されることはなく、例えば屋外設置用の看板、表札、その他の表示板に用いることができる。
【図面の簡単な説明】
【００２６】
【図１】本発明の一実施形態を示す照明付表示器の正面側斜視図
【図２】照明付表示器の背面側斜視図
【図３】照明付表示器の正面断面図
【図４】照明付表示器の側面断面図
【図５】照明付表示器の構成を示すブロック図
【図６】天井面への取付方法を示す正面図
【図７】天井面への取付状態を示す正面図
【図８】天井面への取付方法を示す平面図
【符号の説明】
【００２７】
１…表示体、１ａ…表示部、１ｂ…表示板、１ｃ…透明板、２…ケース体、２ａ…取付孔、２ｂ…挿通部、２ｃ…係止部、３…太陽電池、４…二次電池、５…ＬＥＤ、６…光センサ、９…第２のスイッチ。
【図１】
2007298565.tif 000003
【図２】
2007298565.tif 000004
【図３】
2007298565.tif 000005
【図４】
2007298565.tif 000006
【図５】
2007298565.tif 000007
【図６】
2007298565.tif 000008
【図７】
2007298565.tif 000009
【図８】
2007298565.tif 000010